(57)【要約】【課題】管理サーバ側から一方的にデータをアップロードすることにより住戸とサー管理バ間の通信を一方向にしてサーバにかかる負担を少なくする。【解決手段】住戸用インターホン主装置２に接続され来訪者がドアホン子機３からインターホン主装置を介してインターホン親機１を呼出したときインターホン親機から放音する際の複数の来訪者報知音を予め蓄積している管理サーバ４と、管理サーバに接続され管理者用ソフトウェアが予めインストールされている管理パーソナルコンピュータ５とを備え、インターホン主装置は、管理パーソナルコンピュータの管理者用ソフトウェアを使用し、管理サーバからアップロードされた来訪者報知音を蓄積しているＲＯＭと、ドアホン子機から呼出があったときに、ＲＯＭに蓄積された複数の来訪者報知音の中から予め選択された来訪者報知音をインターホン親機に出力するためのＣＰＵとを有している。【選択図】図１
2004304549.tif 000002
【特許請求の範囲】
【請求項１】
住戸内のインターホン親機（１）を住戸用インターホン主装置（２）を介して住戸外のドアホン子機（３）に接続し、
前記住戸用インターホン主装置に接続され来訪者が前記ドアホン子機から前記住戸用インターホン主装置を介して前記インターホン親機を呼出したとき前記インターホン親機から放音する際の複数の来訪者報知音を予め蓄積している管理サーバ（４）と、前記管理サーバに接続され管理者用ソフトウェアが予めインストールされている管理パーソナルコンピュータ（５）とを備え、
前記住戸用インターホン主装置は、前記管理パーソナルコンピュータにインストールされた管理者用ソフトウェアを使用し、前記管理サーバからアップロードされた来訪者報知音を蓄積している来訪者報知音蓄積部（２０３）と、前記ドアホン子機から呼出があったときに、前記来訪者報知音蓄積部に蓄積された前記複数の来訪者報知音の中から予め選択された来訪者報知音を前記インターホン親機に出力するためのＣＰＵ（２０２）を有することを特徴とする集合住宅インターホンシステム。
【請求項２】
住戸内のインターホン親機（１）を住戸用インターホン主装置（２）を介して住戸外のドアホン子機（３）に接続し、
前記住戸用インターホン主装置に接続され来訪者が前記ドアホン子機から前記住戸用インターホン主装置を介して前記インターホン親機を呼出したとき前記インターホン親機から放音する際の複数の来訪者報知音を予め蓄積している管理サーバ（４）と、前記管理サーバに接続され管理者用ソフトウェアが予めインストールされている管理パーソナルコンピュータ（５）とを備え、
前記住戸用インターホン主装置は、前記管理パーソナルコンピュータにインストールされた管理者用ソフトウェアを使用し、前記管理サーバから予め選択されてアップロードされた来訪者報知音を蓄積している来訪者報知音蓄積部（２０３）と、前記ドアホン子機から呼出があったときに、前記来訪者報知音蓄積部に蓄積された前記来訪者報知音を前記インターホン親機に出力するためのＣＰＵ（２０２）を有することを特徴とする集合住宅インターホンシステム。
【請求項３】
前記住戸用インターホン主装置は、前記ドアホン子機から呼出があったときには、予め設定された音を呼出確認音として出力させるＣＰＵ（２０２）を有することを特徴とする請求項１又は請求項２記載の集合住宅インターホンシステム。
【請求項４】
前記住戸用インターホン主装置に接続され前記来訪者が前記ドアホン子機から前記住戸用インターホン主装置を介して前記インターホン親機を呼出したとき前記ドアホン子機から呼出確認音を放音する際の複数の呼出確認音を予め蓄積している管理サーバ（４）と、前記管理サーバに接続され管理者用ソフトウェアが予めインストールされている管理パーソナルコンピュータ（５）とを備え、
前記住戸用インターホン主装置は、前記管理パーソナルコンピュータにインストールされた管理者用ソフトウェアを使用し、前記管理サーバからアップロードされた呼出確認音を蓄積している来訪者報知音蓄積部（２０３）と、前記ドアホン子機から呼出があったときに、前記来訪者報知音蓄積部に蓄積された前記複数の呼出確認音の中から予め選択された呼出確認音を前記ドアホン子機に出力するためのＣＰＵ（２０２）を有することを特徴とする請求項１又は請求項２記載の集合住宅インターホンシステム。
【請求項５】
住戸内のインターホン親機（１）を住戸用インターホン主装置（２）を介して住戸外のドアホン子機（３）と集合玄関機主装置（７）を介して共同玄関の集合玄関機（６）とに接続し、
前記住戸用インターホン主装置に接続され来訪者が前記集合玄関機から前記集合玄関機主装置、前記住戸用インターホン主装置を介して前記インターホン親機を呼出したとき前記インターホン親機から放音する際の複数の来訪者報知音を予め蓄積している管理サーバ（４）と、前記管理サーバに接続され管理者用ソフトウェアが予めインストールされている管理パーソナルコンピュータ（５）とを備え、
前記住戸用インターホン主装置は、前記管理パーソナルコンピュータにインストールされた管理者用ソフトウェアを使用し、前記管理サーバからアップロードされた来訪者報知音を蓄積している来訪者報知音蓄積部（２０３）と、前記集合玄関機から呼出があったときに、前記来訪者報知音蓄積部に蓄積された前記複数の来訪者報知音の中から予め選択された来訪者報知音を前記インターホン親機に出力するためのＣＰＵ（２０２）を有することを特徴とする集合住宅インターホンシステム。
【請求項６】
前記インターホン親機は、前記集合玄関機から呼出があったときには、予め設定された音を呼出確認音として出力させるＣＰＵ（２０２）を有することを特徴とする請求項５記載の集合住宅インターホンシステム。
【請求項７】
前記住戸用インターホン主装置に接続され前記来訪者が前記集合玄関機から前記集合玄関機主装置、前記住戸用インターホン主装置を介して前記インターホン親機を呼出したとき前記集合玄関機から呼出確認音を放音する際の複数の呼出確認音を予め蓄積している管理サーバ（４）と、前記管理サーバに接続され管理者用ソフトウェアが予めインストールされている管理パーソナルコンピュータ（５）とを備え、
前記住戸用インターホン主装置は、前記管理パーソナルコンピュータにインストールされた管理者用ソフトウェアを使用し、前記管理サーバからアップロードされた呼出確認音を蓄積している来訪者報知音蓄積部（２０３）と、前記集合玄関機から呼出があったときに、前記来訪者報知音蓄積部に蓄積された前記複数の呼出確認音の中から予め選択された呼出確認音を前記集合玄関機に出力するためのＣＰＵ（２０２）を有することを特徴とする請求項５記載の集合住宅インターホンシステム。
【請求項８】
前記住戸用インターホン主装置に接続され前記来訪者が前記集合玄関機から前記集合玄関機主装置、前記住戸用インターホン主装置を介して前記インターホン親機を呼出したとき前記集合玄関機から呼出確認音を放音する際の複数の呼出確認音を予め蓄積している管理サーバ（４）と、前記管理サーバに接続され管理者用ソフトウェアが予めインストールされている管理パーソナルコンピュータ（５）とを備え、
前記集合玄関機主装置は、前記管理パーソナルコンピュータにインストールされた管理者用ソフトウェアを使用し、前記管理サーバからアップロードされた呼出確認音を蓄積している呼出確認音蓄積部（７０３）と、前記集合玄関機から呼出があったときに、前記呼出確認音蓄積部に蓄積された前記複数の呼出確認音の中から予め選択された呼出確認音を前記集合玄関機に出力するためのＣＰＵ（７０２）を有することを特徴とする請求項５記載の集合住宅インターホンシステム。
【請求項９】
前記インターホン親機及び前記住戸用インターホン主装置を一体的に構成することを特徴とする請求項１乃至請求項８のいずれか１項記載の集合住宅インターホンシステム。
【請求項１０】
前記集合玄関機及び前記集合玄関機主装置を一体的に構成することを特徴とする請求項５乃至請求項９のいずれか１項記載の集合住宅インターホンシステム。
【発明の詳細な説明】
【０００１】
【発明の属する技術分野】
本発明は集合住宅インターホンシステムに係り、マンションなどの集合住宅において、住戸内のインターホン親機と住戸外のドアホン子機間の通話や、住戸内のインターホン親機と共同玄関の集合玄関機間の通話などができる集合住宅インターホンシステムに関する。
【０００２】
【従来の技術】
従来から、住戸内に設置されるインターホン親機と、住戸外に設置されインターホン親機に接続されるドアホン子機と、インターホン親機に接続される警報監視盤と、警報監視盤に接続される管理サーバとを備えた集合住宅通話システムが知れている（例えば、特許文献１参照）。
【０００３】
インターホン親機は、各部を制御するＣＰＵと、複数の来客報知音を蓄積してメロディ蓄積部を構成するＲＯＭと、スピーカ、マイクのための通話回路と、２線４線変換回路と、接続をドアホン子機と警報監視盤とで切り替える切替回路とを備えている。また、ドアホン子機はインターホン親機のスピーカ、マイクと通話するためのマイク、スピーカを備えている。さらに、管理サーバ、警報監視盤には、制御回路と、メロディ蓄積部を構成するＲＯＭとを備えている。
【０００４】
このように構成された集合住宅通話システムは、管理サーバが複数の来客報知音を蓄積しているので、インターホン親機はドアホン子機から呼出があったときには、予め管理サーバに蓄積された複数の来客報知音の中から選択してＲＯＭにダウンロードした来客報知音を出力する。
【０００５】
【特許文献１】特開２００２−２５２７１０号公報（第３頁−５頁、第５図）
【０００６】
【発明が解決しようとする課題】
しかしながら、このような従来の集合住宅通話システムでは、各インターホン親機からのダウンロード要求により所望の来客報知音を管理サーバからダウンロードしているので、ダウンロード要求が集中した場合、管理サーバにかかる負担が増大しダウンロードエラーになる虞があった。
【０００７】
また、管理サーバに蓄積された複数の来客報知音から選択する単一の来客報知音が複数の住戸で同じになると、ダウンロード要求してきた複数のインターホン親機に対してその都度ダウンロードする必要があった。
【０００８】
本発明は、このような従来の難点を解決するためになされたもので、サーバ側から一方的にデータをアップロードすることにより住戸とサーバ間の通信を一方向にしてサーバにかかる負担を少なくでき、また、同じ報知音等を選択した住戸に対しては一度にその同じ報知音等を送信できる集合住宅インターホンシステムを提供することを目的とする。
【０００９】
【課題を解決するための手段】
上記目的を達成する請求項１に記載された本発明の集合住宅インターホンシステムは、住戸内のインターホン親機を住戸用インターホン主装置を介して住戸外のドアホン子機に接続し、住戸用インターホン主装置に接続され来訪者がドアホン子機から住戸用インターホン主装置を介してインターホン親機を呼出したときインターホン親機から放音する際の複数の来訪者報知音を予め蓄積している管理サーバと、管理サーバに接続され管理者用ソフトウェアが予めインストールされている管理パーソナルコンピュータとを備え、住戸用インターホン主装置は、管理パーソナルコンピュータにインストールされた管理者用ソフトウェアを使用し、管理サーバからアップロードされた来訪者報知音を蓄積している来訪者報知音蓄積部と、ドアホン子機から呼出があったときに、来訪者報知音蓄積部に蓄積された複数の来訪者報知音の中から予め選択された来訪者報知音をインターホン親機に出力するためのＣＰＵを有するものである。
【００１０】
このような集合住宅インターホンシステムによれば、管理パーソナルコンピュータの管理者用ソフトウエアを使用して管理サーバに予め蓄積されている複数の来訪者報知音を、当該管理サーバから住戸用インターホン主装置の来訪者報知音蓄積部に一方的にアップロードすることができるので、住戸と管理サーバ間の通信を一方向にでき管理サーバにかかる負担を少なくでき、また、各住戸のインターホン親機に対しては一度にその同じ来訪者報知音を送信できるようになる。
【００１１】
また、上記目的を達成する請求項２に記載された本発明の集合住宅インターホンシステムは、住戸内のインターホン親機を住戸用インターホン主装置を介して住戸外のドアホン子機に接続し、住戸用インターホン主装置に接続され来訪者がドアホン子機から住戸用インターホン主装置を介してインターホン親機を呼出したときインターホン親機から放音する際の複数の来訪者報知音を予め蓄積している管理サーバと、管理サーバに接続され管理者用ソフトウェアが予めインストールされている管理パーソナルコンピュータとを備え、住戸用インターホン主装置は、管理パーソナルコンピュータにインストールされた管理者用ソフトウェアを使用し、管理サーバから予め選択されてアップロードされた来訪者報知音を蓄積している来訪者報知音蓄積部と、ドアホン子機から呼出があったときに、来訪者報知音蓄積部に蓄積された来訪者報知音をインターホン親機に出力するためのＣＰＵを有するものである。
【００１２】
このような集合住宅インターホンシステムによれば、管理パーソナルコンピュータの管理者用ソフトウエアを使用して管理サーバに予め蓄積されている複数の来訪者報知音から所定の来訪者報知音を選択して、当該管理サーバから住戸用インターホン主装置の来訪者報知音蓄積部に一方的にアップロードすることができるので、住戸と管理サーバ間の通信を一方向にでき管理サーバにかかる負担を少なくでき、また、各住戸のインターホン親機に対しては一度にその同じ来訪者報知音を送信できるようになり、さらに、来訪者報知音蓄積部を小型化できる。
【００１３】
また、このような請求項１又は請求項２の関連発明である請求項３に記載された集合住宅インターホンシステムにおいて、住戸用インターホン主装置は、ドアホン子機から呼出があったときには、予め設定された音を呼出確認音として出力させるＣＰＵを有するものである。これにより、ドアホン子機で呼出操作を行なった来訪者に対して適確に呼出が行われたことを知らせることができる。
【００１４】
また、このような請求項１又は請求項２の関連発明である請求項４に記載された集合住宅インターホンシステムにおいては、住戸用インターホン主装置に接続され来訪者がドアホン子機から住戸用インターホン主装置を介してインターホン親機を呼出したときドアホン子機から呼出確認音を放音する際の複数の呼出確認音を予め蓄積している管理サーバと、管理サーバに接続され管理者用ソフトウェアが予めインストールされている管理パーソナルコンピュータとを備え、住戸用インターホン主装置は、管理パーソナルコンピュータにインストールされた管理者用ソフトウェアを使用し、管理サーバからアップロードされた呼出確認音を蓄積している来訪者報知音蓄積部と、ドアホン子機から呼出があったときに、来訪者報知音蓄積部に蓄積された複数の呼出確認音の中から予め選択された呼出確認音をドアホン子機に出力するためのＣＰＵを有するものである。これにより、管理パーソナルコンピュータの管理者用ソフトウエアを使用して管理サーバに予め蓄積されている複数の呼出確認音から所望の呼出確認音を選択して、当該管理サーバから住戸用インターホン主装置の来訪者報知音蓄積部に一方的にアップロードすることができるので、住戸と管理サーバ間の通信を一方向にでき管理サーバにかかる負担を少なくでき、また、来訪者報知音とは異なるメロディなどをドアホン子機から呼出確認音として出力できる。
【００１５】
また、上記目的を達成する請求項５に記載された本発明の集合住宅インターホンシステムは、住戸内のインターホン親機を住戸用インターホン主装置を介して住戸外のドアホン子機と集合玄関機主装置を介して共同玄関の集合玄関機とに接続し、住戸用インターホン主装置に接続され来訪者が集合玄関機から集合玄関機主装置、住戸用インターホン主装置を介してインターホン親機を呼出したときインターホン親機から放音する際の複数の来訪者報知音を予め蓄積している管理サーバと、管理サーバに接続され管理者用ソフトウェアが予めインストールされている管理パーソナルコンピュータとを備え、住戸用インターホン主装置は、管理パーソナルコンピュータにインストールされた管理者用ソフトウェアを使用し、管理サーバからアップロードされた来訪者報知音を蓄積している来訪者報知音蓄積部と、集合玄関機から呼出があったときに、来訪者報知音蓄積部に蓄積された複数の来訪者報知音の中から予め選択された来訪者報知音をインターホン親機に出力するためのＣＰＵを有するものである。
【００１６】
このような集合住宅インターホンシステムによれば、管理パーソナルコンピュータの管理者用ソフトウエアを使用して管理サーバに予め蓄積されている複数の来訪者報知音から所望の来訪者報知音を選択して、当該管理サーバから住戸用インターホン主装置の来訪者報知音蓄積部に一方的にアップロードすることができるので、住戸と管理サーバ間の通信を一方向にでき管理サーバにかかる負担を少なくできる。
【００１７】
また、このような請求項５の関連発明である請求項６に記載された集合住宅インターホンシステムにおいて、インターホン親機は、集合玄関機から呼出があったときには、予め設定された音を呼出確認音として出力させるＣＰＵを有するものである。これにより、ドアホン子機で呼出操作を行なった来訪者に対して適確に呼出が行われたことを知らせることができる。
【００１８】
また、このような請求項５の関連発明である請求項７に記載された集合住宅インターホンシステムにおいて、住戸用インターホン主装置に接続され来訪者が集合玄関機から集合玄関機主装置、住戸用インターホン主装置を介してインターホン親機を呼出したとき集合玄関機から呼出確認音を放音する際の複数の呼出確認音を予め蓄積している管理サーバと、管理サーバに接続され管理者用ソフトウェアが予めインストールされている管理パーソナルコンピュータとを備え、住戸用インターホン主装置は、管理パーソナルコンピュータにインストールされた管理者用ソフトウェアを使用し、管理サーバからアップロードされた呼出確認音を蓄積している来訪者報知音蓄積部と、集合玄関機から呼出があったときに、来訪者報知音蓄積部に蓄積された複数の呼出確認音の中から予め選択された呼出確認音を集合玄関機に出力するためのＣＰＵを有するものである。これにより、管理パーソナルコンピュータの管理者用ソフトウエアを使用して管理サーバに予め蓄積されている複数の呼出確認音から所望の呼出確認音を選択して、当該管理サーバから住戸用インターホン主装置の来訪者報知音蓄積部に一方的にアップロードすることができるので、住戸と管理サーバ間の通信を一方向にでき管理サーバにかかる負担を少なくでき、また、来訪者報知音とは異なるメロディなどを集合玄関機から呼出確認音として出力でき、さらに、ドアホン子機で呼出操作を行なった来訪者に対して適確に呼出が行われたことを知らせることができる。
【００１９】
また、このような請求項５の関連発明である請求項８に記載された集合住宅インターホンシステムにおいて、住戸用インターホン主装置に接続され来訪者が集合玄関機から集合玄関機主装置、住戸用インターホン主装置を介してインターホン親機を呼出したとき集合玄関機から呼出確認音を放音する際の複数の呼出確認音を予め蓄積している管理サーバと、管理サーバに接続され管理者用ソフトウェアが予めインストールされている管理パーソナルコンピュータとを備え、集合玄関機主装置は、管理パーソナルコンピュータにインストールされた管理者用ソフトウェアを使用し、管理サーバからアップロードされた呼出確認音を蓄積している呼出確認音蓄積部と、集合玄関機から呼出があったときに、呼出確認音蓄積部に蓄積された複数の呼出確認音の中から予め選択された呼出確認音を集合玄関機に出力するためのＣＰＵを有するものである。これにより、管理パーソナルコンピュータの管理者用ソフトウエアを使用して管理サーバに予め蓄積されている複数の呼出確認音から所望の呼出確認音を選択して、当該管理サーバから集合玄関機主装置の呼出確認音蓄積部に一方的にアップロードすることができるので、集合玄関機と管理サーバ間の通信を一方向にでき管理サーバにかかる負担を少なくできる。
【００２０】
また、請求項１乃至請求項８の何れか１項の関連発明である請求項９に記載された集合住宅インターホンシステムにおいて、インターホン親機及び住戸用インターホン主装置を一体的に構成するものである。これにより、機器を小型化し、省スペースにて設置することができる。
【００２１】
また、請求項５乃至請求項９の何れか１項の関連発明である請求項１０に記載された集合住宅インターホンシステムにおいて、集合玄関機及び集合玄関機主装置を一体的に構成するものである。これにより、機器を小型化し、省スペースにて設置することができる。
【００２２】
【発明の実施の形態】
以下、本発明の集合住宅インターホンシステムにおけるその好ましい実施の形態例について図面を参照して説明する。
【００２３】
本発明の集合住宅インターホンシステムは図１、図２に示すように、マンションなどの集合住宅の各住戸内に設置されるインターホン親機１と、インターホン親機１にＬＡＮケーブルＬ１で接続される住戸用インターホン主装置２と、住戸用インターホン主装置２に接続され各住戸の玄関に設置されるドアホン子機３と、集合住宅の集合玄関に設置される集合玄関機６と、集合玄関機６に接続される集合玄関主装置７と、住戸用インターホン主装置２、集合玄関機主装置７が渡り配線によってＬＡＮ接続される制御機１０と、制御機１０にＨＵＢ１１を介してＬＡＮ接続され複数の来訪者報知音、呼出確認音を予め蓄積している管理サーバ４と、管理サーバ４にＬＡＮ接続され管理者用ソフトウエアが予めインストールされている管理パーソナルコンピュータ５（以下、「管理ＰＣ５」という。）とを備えている。
【００２４】
インターホン親機１は、ドアホン子機３、集合玄関機６と通話するためのスピーカＳＰ１、マイクＭＩＣ１と、スピーカＳＰ１、マイクＭＩＣ１がスピーカアンプ１０１、マイクアンプ１０２を介して接続される通話回路１０３と、通話回路１０３に接続されマイクＭＩＣ１で集音された音声信号を符号化するエンコーダ１０４と、通話回路１０３に接続され符号化された音声信号を復号化し通話回路１０３を介してスピーカアンプ１０１に送出するデコーダ１０５と、エンコーダ１０４及びデコーダ１０５に接続され当該エンコーダ１０４で符合化されたデジタル信号をアナログ信号に変調してＬＡＮケーブルＬ１に流したり、ＬＡＮケーブルＬ１上のアナログ信号を読み取り元のデジタル信号に復号したりするトランシーバ回路１０６と、トランシーバ回路１０６に接続され住戸用インターホン主装置２とＬＡＮケーブルＬ１を介して接続するためのコネクタ１０７と、インターホン親機１の各回路を制御するＣＰＵ１０８とを有している。
【００２５】
また、このインターホン親機１はハンドセット１Ａを有しており、このハンドセット１Ａにはインターホン親機１の通話回路１０３に接続されるスピーカＳＰ２、マイクＭＩＣ２を有している。
【００２６】
住戸用インターホン主装置２は、制御機１０にＬＡＮケーブルＬ２を介して接続されるコネクタ２０１と、コネクタ２０１に接続され住戸用インターホン主装置２の各回路を制御するＣＰＵ２０２と、ＣＰＵ２０２に接続され管理ＰＣ５にインストールされた管理者用ソフトウエアを使用し、管理サーバ４からアップロードされた来訪者報知音や呼出確認音を蓄積する来訪者報知音蓄積部であるＦＲＯＭ（ｆｌａｓｈ  ＲＯＭ）等の書き込み可能なＲＯＭ２０３と、ＲＯＭ２０３が一方の入力側に接続されるミキシング回路２０４と、ガス漏れ検知器などのセキュリティセンサＳ１及びドアホン子機３が有線接続されるインターフェース２０５（以下、「Ｉ／Ｆ２０５」という。）と、Ｉ／Ｆ２０５に接続されセキュリティセンサＳ１からの検知信号を検出してその旨の信号をＣＰＵ２０２に送出するセンサ検出回路２０６と、Ｉ／Ｆ２０５に接続されドアホン子機３からの呼出信号を検出してその旨の信号をＣＰＵ２０２に送出する呼出検出回路２０７と、Ｉ／Ｆ２０５に接続され当該Ｉ／Ｆ２０５からのラインを２線４線変換する２−４線変換回路２０８と、２−４線変換回路２０８で４線に変換された各ラインが接続されミキシング回路２０４の他方の入力側が接続される通話回路２０９と、ミキシング回路２０４の出力側が接続され当該ミキシング回路２０４から出力された音声信号を符号化するエンコーダ２１０と、通話回路２０９に接続され符号化された音声信号を復号化して当該通話回路２０９に送出するデコーダ２１１と、エンコーダ２１０及びデコーダ２１１に接続され当該エンコーダ２１０で符合化されたデジタル信号をアナログ信号に変調してＬＡＮケーブルＬ１に流したり、ＬＡＮケーブルＬ１上のアナログ信号を読み取り元のデジタル信号に復号したりするトランシーバ回路２１２と、トランシーバ回路２１２に接続されインターホン親機１とＬＡＮケーブルＬ１を介して接続するためのコネクタ２１３とを有している。
【００２７】
ドアホン子機３は、インターホン親機１と通話するためのスピーカＳＰ３、マイクＭＩＣ３と、スピーカＳＰ３、マイクＭＩＣ３がスピーカアンプ３０１、マイクアンプ３０２を介して接続されラインを４線から２線に変換する２−４線変換回路３０３と、２−４線変換回路３０３及び集合玄関機６を呼出すための呼出操作部３０５が接続され住戸用インターホン主装置２に有線接続するためのインターフェース３０４（以下、「Ｉ／Ｆ３０４」という。）とを有している。
【００２８】
また、住戸用インターホン主装置２のＣＰＵ２０２は、ドアホン子機３の呼出操作部３０５や集合玄関機６の操作部６０９から呼出があったときに、住戸用インターホン主装置２のＲＯＭ２０３に蓄積された複数の来訪者報知音の中から予め選択された来訪者報知音をインターホン親機１に出力する機能を有している。この来訪者報知音は、例えば、管理サーバ４から予め選択されてアップロードされた来訪者報知音は、「ピンポーン」といった呼出音で、その後に居住者によって管理サーバ４から選択されてアップロードされた来訪者報知音は、「ピンポーン、お客様です」といった音声メッセージやメロディなどが考えられる。これにより、居住者の趣味感に合った来訪者報知音を放音することができるので、近隣住戸の来訪者報知音で自己に対する来訪者があったと勘違いすることを防ぐことができる。また、ＣＰＵ２０２は、ドアホン子機３の呼出操作部３０５から呼出があったときに、予め設定された音を呼出確認音としてドアホン子機３に出力させる機能を有している。この予め設定された呼出確認音としては、「ピンポーン」といったオーソドックスな固定音が、ドアホン子機３で呼出操作を行った来訪者に対して失礼のない礼儀ある応対をとることができる点で好ましい。また、ＣＰＵ２０２は、ドアホン子機３の呼出操作部３０５から呼出があったときに、住戸用インターホン主装置２のＲＯＭ２０３に蓄積された複数の呼出確認音の中から予め選択された呼出確認音をドアホン子機３に出力する機能を有している。この予め設定された呼出確認音としては、しばらくお待ち下さい」、「ご用件をどうぞ」、ただいま留守にしております」といった音声メッセージや、その後に流れる保留音などが考えられる。これにより、来訪者報知音とは異なるメロディなどをドアホン子機３から呼出確認音として出力できる。さらに、図２、図３に示すように、ＣＰＵ２０２は、集合玄関機６の操作部６０９から呼出があったときに、ＲＯＭ２０３に蓄積された複数の呼出確認音の中から予め選択された呼出確認音を集合玄関機６に出力する機能を有している。この予め設定された呼出確認音としては、「しばらくお待ち下さい」、「ご用件をどうぞ」、「ただいま留守にしております」といった音声メッセージや、その後に流れる保留音などが考えられる。これにより、来訪者報知音とは異なるメロディなどを集合玄関機６から呼出確認音として出力できる。
【００２９】
集合玄関機６は図３に示すように、インターホン親機１、ドアホン子機３と通話するためのスピーカＳＰ４、マイクＭＩＣ４と、スピーカＳＰ４、マイクＭＩＣ４がスピーカアンプ６０１、マイクアンプ６０２を介して接続される通話回路６０３と、通話回路６０３に接続されマイクＭＩＣ３で集音された音声信号を符号化するエンコーダ６０４と、通話回路６０３に接続され符号化された音声信号を復号化し通話回路６０３を介してスピーカアンプ６０１に送出するデコーダ６０５と、エンコーダ６０４及びデコーダ６０５に接続され当該エンコーダ６０４で符合化されたデジタル信号をアナログ信号に変調してＬＡＮケーブルＬ１１に流したり、ＬＡＮケーブルＬ１１上のアナログ信号を読み取り元のデジタル信号に復号したりするトランシーバ回路６０６と、トランシーバ回路６０６に接続され集合玄関機主装置７とＬＡＮケーブルＬ１１を介して接続するためのコネクタ６０７と、集合玄関機６の各回路を制御するＣＰＵ６０８と、ＣＰＵ６０８に接続されインターホン親機１の呼出機能や集合玄関６の解錠機能等を持つ操作部６０９とを有している。
【００３０】
集合玄関機主装置７は図３に示すように、制御機１０にＬＡＮケーブルＬ３を介して接続されるコネクタ７０１と、コネクタ７０１に接続され集合玄関機主装置７の各回路を制御するＣＰＵ７０２と、ＣＰＵ７０２に接続され管理ＰＣ５にインストールされた管理者用ソフトウエアを使用し、管理サーバ４からアップロードされた呼出確認音を蓄積する呼出確認音蓄積部であるＦＲＯＭ（ｆｌａｓｈ  ＲＯＭ）等の書き込み可能なＲＯＭ７０３と、ＲＯＭ７０３が接続され当該ＲＯＭ７０３から出力された音声信号を符号化するエンコーダ７０５と、エンコーダ７０５に接続され当該エンコーダ７０５で符合化されたデジタル信号をアナログ信号に変調してＬＡＮケーブルＬ１１に流したり、ＬＡＮケーブルＬ１１上のアナログ信号を読み取り元のデジタル信号に復号したりするトランシーバ回路７０６と、トランシーバ回路７０６に接続され集合玄関機６とＬＡＮケーブルＬ１１を介して接続するためのコネクタ７０７とを有している。
【００３１】
このような集合玄関機主装置７のＣＰＵ７０２は、予め設定された音を呼出確認音として集合玄関機６に出力させる機能を有している。この予め設定された呼出確認音としては、「ピンポーン」といったオーソドックスな固定音が、集合玄関機６で呼出操作を行った来訪者に対して失礼のない礼儀ある応対をとることができる点で好ましい。また、ＣＰＵ７０２は、集合玄関機６から呼出があったときに、ＲＯＭ７０３に蓄積された複数の呼出確認音の中から予め選択された呼出確認音を集合玄関機６に出力する機能を有することもできる。
【００３２】
このように構成された集合住宅インターホンシステムの動作について説明する。
【００３３】
このような集合住宅インターホンシステムを使用するにあたり、管理人室等に設置された管理ＰＣ５を操作して管理者用ソフトウエアを起動し、管理サーバ４に予め蓄積されている、（１）来訪者がドアホン子機３から住戸用インターホン主装置２を介してインターホン親機１を呼出したときインターホン親機１から放音する際の複数の来訪者報知音、（２）来訪者がドアホン子機３から住戸用インターホン主装置２を介してインターホン親機１を呼出したときドアホン子機３から呼出確認音を放音する際の複数の呼出確認音、（３）来訪者が集合玄関機６から集合玄関機主装置７、住戸用インターホン装置２を介してインターホン親機１を呼出したときインターホン親機１から放音する際の複数の来訪者報知音、（４）来訪者が集合玄関機６から集合玄関機主装置７、住戸用インターホン主装置２を介してインターホン親機１を呼出したとき集合玄関機６から呼出確認音を放音する際の複数の呼出確認音を、住戸用インターホン主装置２のＲＯＭ２０３にアップロードさせる。また、このアップロードに変えて管理ＰＣ５を操作して管理者用ソフトウエアを起動し、管理サーバ４に予め蓄積されている、来訪者が集合玄関機６から集合玄関機主装置７、住戸用インターホン装置２を介してインターホン親機１を呼出したとき集合玄関機６から呼出確認音を放音する際の複数の呼出確認音を、集合玄関機主装置７のＲＯＭ７０３にアップロードさせることもできる。このように来訪者報知音や呼出確認音を管理サーバ４から住戸用インターホン主装置２のＲＯＭ２０３や集合玄関機主装置７のＲＯＭ７０３に一方的にアップロードすることができるので、住戸と管理サーバ４間の通信を一方向にでき管理サーバ４にかかる負担を少なくできる。また、各住戸のインターホン親機１に対しては、一度にその同じ来訪者報知音、呼出確認音を送信できるようになる。
【００３４】
まず、インターホン親機１の表示部（図示せず）に表示されるメニュー画面を操作して登録モードとする。この登録モードの状態で操作部（図示せず）から当該インターホン親機１から放音させる来訪者報知音や、ドアホン子機３、集合玄関機６から放音させる呼出確認音を選択して確定操作をすることにより、設定信号がインターホン親機１のＣＰＵ１０８から住戸用インターホン主装置２のＣＰＵ２０２に送出され設定が完了する。
【００３５】
また、集合玄関機６から呼出確認音を放音する際の複数の呼出確認音を、集合玄関機主装置７のＲＯＭ７０３にアップロードした場合には、集合玄関機６の操作部６０９を操作して登録モードとする。この登録モードの状態で当該集合玄関機６から放音させる呼出確認音を選択して確定操作をすることにより、設定信号が集合玄関機６のＣＰＵ６０８から集合玄関機主装置７のＣＰＵ７０２に送出され設定が完了する。
【００３６】
例えば図４のフローチャートに示すように、インターホン親機１で所望の来訪者報知音が選択され、所望の呼出確認音が選択されていない場合には、来訪者がドアホン子機３の呼出操作部３０５で呼出操作をすると（ステップ２００）、住戸用インターホン主装置２の呼出検出回路２０７がその呼出を検出しＣＰＵ２０２にその旨の信号を送出する。ＣＰＵ２０２は、来訪者報知音が選択設定なされているので、この検出信号に基づきＲＯＭ２０３に蓄積された複数の来訪者報知音の中から予め選択された来訪者報知音の信号をミキシング回路２０４に出力する。この来訪者報知信号は、ミキシング回路２０４→エンコーダ２１０→トランシーバ回路２１２→コネクタ２１３→ＬＡＮケーブルＬ１→インターホン親機１のコネクタ１０７→トランシーバ回路１０６→デコーダ１０５→通話回路１０３を介してスピーカアンプ１０１に伝送されるので、このスピーカアンプ１０１で増幅された来訪者報知音がスピーカＳＰ１で鳴動される（ステップ２０１、２０２）。
【００３７】
また、呼出確認音は予め設定された音になるので、ＣＰＵ２０２はＲＯＭ２０３から予め設定された呼出確認音をＩ／Ｆ２０５へと出力する。この呼出確認音はアナログ信号としてドアホン子機３のＩ／Ｆ３０４→２線４線変換回路３０３を介してスピーカアンプ３０１に伝送されるので、このスピーカアンプ３０１で増幅された呼出確認音がスピーカＳＰ３で鳴動される（ステップ２０４、２０６）。これにより、ドアホン子機３で居住者を呼出した来訪者は呼出が行われたことを確認できる。
【００３８】
なお、インターホン親機１で所望の来訪者報知音及び所望の呼出確認音が選択されていない場合には、来訪者がドアホン子機３の呼出操作部３０５で呼出操作をすると（ステップ２００）、住戸用インターホン主装置２のＣＰＵ２０２は管理サーバ４から予め選択されてアップロードされた来訪者報知音をＲＯＭ２０３から出力されるので、インターホン親機１のスピーカＳＰ１から鳴動され、また、呼出確認音は予め設定された音になりドアホン子機３のスピーカＳＰ３で鳴動される（ステップ２０１、２０３、２０４、２０６）。
【００３９】
この来訪者報知音を居住者が認識してハンドセット１Ａをフックアップすると、ハンドセット１ＡのスピーカＳＰ２、ＭＩＣ２と、ドアホン子機３のスピーカＳＰ３、ＭＩＣ３との間で通話路が形成され通話が可能となる。なお、居住者が来訪者報知音を認識してインターホン親機１の設置場所まで移動してきた場合に、人感センサなどにより検知できるようにシステムを構築すれば、その検出信号をインターホン親機１のＣＰＵ１０８に送出することにより通話回路１０３を駆動することができるので、インターホン親機１のスピーカＳＰ１、ＭＩＣ１と、ドアホン子機３のスピーカＳＰ３、ＭＩＣ３との間で通話路が形成され通話を可能とすることもできる。
【００４０】
また、インターホン親機１で所望の来訪者報知音及び所望の呼出確認音が選択されている場合には、来訪者がドアホン子機３の呼出操作部３０５で呼出操作をすると（ステップ２００）、住戸用インターホン主装置２の呼出検出回路２０７がその呼出を検出しＣＰＵ２０２にその旨の信号を送出する。ＣＰＵ２０２は、来訪者報知音が選択設定なされているので、この検出信号に基づきＲＯＭ２０３に蓄積された複数の来訪者報知音の中から予め選択された来訪者報知音の信号をミキシング回路２０４に出力する。この来訪者報知信号は、ミキシング回路２０４→エンコーダ２１０→トランシーバ回路２１２→コネクタ２１３→ＬＡＮケーブルＬ１→インターホン親機１のコネクタ１０７→トランシーバ回路１０６→デコーダ１０５→通話回路１０３を介してスピーカアンプ１０１に伝送されるので、このスピーカアンプ１０１で増幅された来訪者報知音がスピーカＳＰ１で鳴動される（ステップ２０１、２０２）。
【００４１】
また、呼出確認音も所望の呼出確認音が選択されているので、ＣＰＵ２０２はＲＯＭ２０３に蓄積された複数の呼出確認音の中から予め選択された呼出確認音の信号をＩ／Ｆ２０５へと出力する。この呼出確認音はアナログ信号としてドアホン子機３のＩ／Ｆ３０４→２線４線変換回路３０３を介してスピーカアンプ３０１に伝送されるので、このスピーカアンプ３０１で増幅された呼出確認音がスピーカＳＰ３で鳴動される（ステップ３０１、３０２）。
【００４２】
なお、所望の呼出確認音が選択され、所望の来訪者報知音が選択されていない場合には、来訪者がドアホン子機３の呼出操作部３０５で呼出操作をすると（ステップ２００）、住戸用インターホン主装置２のＣＰＵ２０２は管理サーバ４から予め選択されてアップロードされた来訪者報知音をＲＯＭ２０３から出力されるので、インターホン親機１のスピーカＳＰ１から鳴動され、また、呼出確認音は所望の呼出確認音が選択されているので、ＲＯＭ２０３に蓄積された複数の呼出確認音の中から予め選択された呼出確認音になりドアホン子機３のスピーカＳＰ３で鳴動される（ステップ２０１、２０３、２０４、２０６）。
【００４３】
次に、集合玄関機６からインターホン親機１に呼出があった場合について説明する。
【００４４】
来訪者が集合玄関機６の操作部６０９でインターホン親機１の呼出操作をすると、ＣＰＵ６０８から送出される呼出信号は、通話回路６０３→エンコーダ６０４→トランシーバ回路６０６→コネクタ６０７→ＬＡＮケーブルＬ１１→集合玄関機主装置７のコネクタ７０７→トランシーバ回路７０６→ＣＰＵ７０２→コネクタ７０１→ＬＡＮケーブルＬ３→制御機１０→ＬＡＮケーブルＬ２→住戸用インターホン主装置２のコネクタ２０１を介してＣＰＵ２０２に伝送される。この住戸用インターホン主装置２のＣＰＵ２０２は、集合玄関機６からの呼出信号に基づきＲＯＭ２０３から、管理サーバ４から予め選択されてアップロードされた来訪者報知音あるいは居住者によって管理サーバ４から選択された来訪者報知音の信号をミキシング回路２０４に出力する。この来訪者報知信号は、ミキシング回路２０４→エンコーダ２１０→トランシーバ回路２１２→コネクタ２１３→ＬＡＮケーブルＬ１→インターホン親機１のコネクタ１０７→トランシーバ回路１０６→デコーダ１０５→通話回路１０３を介してスピーカアンプ１０１に伝送されるので、このスピーカアンプ１０１で増幅された来訪者報知音がスピーカＳＰ１で鳴動される。
【００４５】
また、住戸用インターホン主装置２のＣＰＵ２０２は、集合玄関機６からの呼出信号に基づきＲＯＭ２０３から、管理サーバ４から予め選択されてアップロードされた呼出確認音あるいは居住者によって管理サーバ４から選択された呼出確認音の信号をＣＰＵ２０２へと送出する。この呼出確認音の信号はＣＰＵ２０２→コネクタ２０１→ＬＡＮケーブルＬ２→制御機１０→ＬＡＮケーブルＬ３→集合玄関機主装置７のコネクタ７０１→ＣＰＵ７０２→トランシーバ回路７０６→コネクタ７０７→ＬＡＮケーブルＬ１１→集合玄関機６のコネクタ６０７→トランシーバ回路６０６→デコーダ６０５を介して通話回路６０３に伝送される。通話回路６０３は、この信号をスピーカアンプ６０１で増幅され呼出確認音としてスピーカＳＰ４で鳴動される。これにより、集合玄関機６で居住者を呼出した来訪者は呼出が行われたことを確認できる。
【００４６】
また、集合玄関主装置７のＲＯＭ７０３に複数の呼出確認音が蓄積されている場合においては、集合玄関機６のＣＰＵ６０８から送出される呼出信号が集合玄関主装置７のＣＰＵ７０２に入力すると、ＣＰＵ７０２はＲＯＭ７０３に蓄積された複数の呼出確認音の中から予め選択された確認音あるいは予め設定された呼出確認音をＲＯＭ７０３からミキシング回路７０４に送出する。この呼出確認音は、ミキシング回路７０４→エンコーダ７０５→トランシーバ回路７０６→コネクタ７０７→ＬＡＮケーブルＬ１１→集合玄関機６のコネクタ６０７→トランシーバ６０６→デコーダ６０５→通話回路６０３を介してスピーカアンプ６０１に伝送されるので、このスピーカアンプ６０１で増幅された呼出確認信号がスピーカＳＰ３で鳴動される。これにより、集合玄関機６で居住者を呼出した来訪者は呼出が行われたことを確認できる。
【００４７】
なお、上述した本発明の実施の形態例においては、インターホン親機１と住戸用インターホン主装置２とは分離されていたが、これに限らず、インターホン親機及び前記住戸用インターホン主装置を一体的に構成してもよい。これにより、機器を小型化し、省スペースにて設置することができる。
【００４８】
また、集合玄関機６と集合玄関機主装置７とも分離されていたが、これに限らず、集合玄関機６及び集合玄関機主装置７を一体的に構成してもよい。これにより、機器を小型化し、省スペースにて設置することができる。
【００４９】
【発明の効果】
以上、説明したように、本発明の集合住宅インターホンシステムによれば、来訪者報知音や呼出確認音を管理サーバ側から一方的にアップロードすることにより住戸と管理サーバ間の通信を一方向にして、管理サーバにかかる負担を少なくすることができ、また、同じ来訪者報知音等を選択した住戸に対しては一度にその同じ来訪者報知音等を送信できる。
【図面の簡単な説明】
【図１】本発明の集合住宅インターホンシステムによる好ましい実施の形態例を示す構成図。
【図２】本発明の集合住宅インターホンシステムに適用されるインターホン親機、住戸用インターホン主装置、ドアホン子機を示すブロック図。
【図３】本発明の集合住宅インターホンシステムに適用される集合玄関機、集合玄関機主装置を示すブロック図。
【図４】本発明の集合住宅インターホンシステムの動作の一例を示すフローチャート図。
【符号の説明】
１・・・・・インターホン親機
２・・・・・住戸用インターホン主装置
２０２・・・・・ＣＰＵ
２０３・・・・・ＲＯＭ（来訪者報知音蓄積部）
３・・・・・ドアホン子機
４・・・・・管理サーバ
５・・・・・管理パーソナルコンピュータ
６・・・・・集合玄関機
７・・・・・集合玄関機主装置
７０２・・・・・ＣＰＵ
７０３・・・・・ＲＯＭ（呼出確認音蓄積部）
【図１】
2004304549.tif 000003
【図２】
2004304549.tif 000004
【図３】
2004304549.tif 000005
【図４】
2004304549.tif 000006